(57)【要約】 【課題】外部記憶装置に格納された画像コンテンツの管理に対し、利便性を向上させることができる画像管理方法、および、これを実行させるコンピュータ読取可能な画像管理プログラムを提供すること。【解決手段】光学装置と、光学装置を制御する制御基板とを備えたリアプロジェクタで実行され、メモリカードに格納された画像コンテンツを光学装置に表示させて管理する画像管理方法であって、制御基板は、光学装置に表示された画像コンテンツのメモリカード内における格納位置を取得する格納位置取得ステップＳ２と、取得した格納位置に基づいて、二次元コードから成り、画像コンテンツの格納位置を表す識別コードを生成する識別コード生成ステップＳ４と、生成した識別コードを、光学装置、および、プリンタのうち少なくともいずれかに出力する識別コード出力ステップＳ５，Ｓ１０とを実行する。【選択図】 図９
2006227931.tif 000002
【特許請求の範囲】
【請求項１】
画像コンテンツを表示する画像表示手段と、この画像表示手段を駆動制御する制御手段とを備えた画像表示装置で実行され、この画像表示装置に接続される外部記憶装置に格納された画像コンテンツを前記画像表示手段に表示させて管理する画像管理方法であって、
前記制御手段は、
前記画像表示手段に表示された画像コンテンツの前記外部記憶装置内における格納位置を取得する格納位置取得ステップと、
取得した格納位置に基づいて、二次元コードまたはバーコードから成り、前記画像コンテンツの格納位置を表す識別コードを生成する識別コード生成ステップと、
生成した識別コードを、前記画像表示手段、および、前記画像表示装置に接続される印刷出力装置のうち少なくともいずれかに出力する識別コード出力ステップとを実行することを特徴とする画像管理方法。
【請求項２】
請求項１に記載の画像管理方法において、
前記画像表示装置には、二次元コードまたはバーコードを読取るコード読取装置が接続され、
前記制御手段は、
前記コード読取装置により二次元コードまたはバーコードが読取られると、読取られた二次元コードまたはバーコードが前記識別コードであるか否かを判定するコード種別判定ステップと、
前記判定の結果、前記識別コードと判定されると、前記識別コードから、この識別コードに応じた画像コンテンツの前記格納位置を解読する識別コード解読ステップと、
解読された前記格納位置に格納される前記画像コンテンツを呼出して、前記画像表示手段、および、前記印刷出力装置のうち少なくともいずれかに出力する画像出力ステップとを実行することを特徴とする画像管理方法。
【請求項３】
請求項１または請求項２に記載の画像管理方法において、
前記識別コード生成ステップは、取得した前記格納位置に格納された前記画像コンテンツの出力設定情報を含めて前記識別コードを生成することを特徴とする画像管理方法。
【請求項４】
請求項３に記載の画像管理方法において、
前記識別コード解読ステップは、前記識別コードから、この識別コードに応じた前記画像コンテンツの前記出力設定情報をも含めて解読し、
前記画像出力ステップは、解読された前記格納位置に格納される前記画像コンテンツを呼出すとともに、解読された前記出力設定情報に基づいて、前記画像表示手段、および、前記印刷出力装置のうち少なくともいずれかに出力することを特徴とする画像管理方法。
【請求項５】
請求項３または４に記載の画像管理方法であって、
前記出力設定情報には、前記画像コンテンツの出力先となる機種情報が含まれていることを特徴とする画像管理方法。
【請求項６】
画像コンテンツを表示する画像表示手段と、この画像表示手段を駆動制御する駆動制御手段とを備えた画像表示装置で実行されるコンピュータ読取可能なプログラムであって、
請求項１〜請求項５のいずれかに記載の画像管理方法を前記制御手段に実行させることを特徴とするコンピュータ読取可能な画像管理プログラム。
【発明の詳細な説明】
【技術分野】
【０００１】
本発明は、画像表示装置に接続される外部記憶装置に格納された画像コンテンツを画像表示手段に表示させて管理する画像管理方法、および、前記画像表示装置において前記制御手段に前記画像管理方法を実行させる画像管理プログラムに関する。
【背景技術】
【０００２】
近年、テレビ、デジタルカメラ、カメラ付携帯電話、および、リアプロジェクタ等の画像表示装置の分野において、記憶装置に記録された画像コンテンツを、ディスプレイ等の画像表示手段に表示する技術が普及されつつある。画像コンテンツが記録された記憶装置には、画像表示装置に搭載された外部記憶装置や、画像表示装置に接続可能な記録媒体等が挙げられる。また、画像データとして、例えば、デジタルカメラで撮影された写真データなどが挙げられる。
【０００３】
このような画像表示装置には、画像コンテンツを再生し画像表示手段に表示させる画像表示プログラムが記録されている。従来、この画像表示プログラムには、表示させた画像コンテンツの表示設定値、例えば、明るさ、コントラスト、拡大、回転等の表示設定を調節する表示設定調節機能が設けられている。操作者は、この表示設定調節機能を用いて、画像コンテンツを明るくしたり拡大したりするなどして、画像コンテンツを所望のイメージで表示させることができる。
【０００４】
さらに、このような画像表示装置がプリンタを接続している場合、または、プリンタ機能を搭載している場合、画像表示手段に表示した画像コンテンツを、プリント用紙に印刷させることができる。
また、画像コンテンツは、前述した外部記憶装置を用いて保存することができるので、操作者は、写真データ等を収集し保存しておくことができる。
【０００５】
しかし、当該外部記憶装置に数多くの画像コンテンツが保存されると、操作者が、ある画像コンテンツを表示させたくとも、当該画像コンテンツの保存先が分からなくなってしまうことがある。また、外部記憶装置に保存された画像コンテンツを、例えば、日付やイベント毎に整理しておいたとしても、当該画像コンテンツの保存先に辿り着くまで、フォルダの選択を繰り返さなければならない。このように、外部記憶装置に数多くの画像コンテンツが保存されると、操作者にとって、ある特定の画像コンテンツを表示させる作業が煩雑になる。
【０００６】
このような課題に対し、例えば、特許文献１に示すような画情報管理装置が提案されている。特許文献１に記載の画情報管理装置は、保存された各画像コンテンツに整理番号を付し、この整理番号をバーコードに変換するとともに、このバーコードを紙に印刷する。ある画像コンテンツを出力させたい場合には、操作者は、当該画像コンテンツに対応するバーコードを、画情報管理装置に備えられたリーダで読取らせる。すると、画情報管理装置は、バーコードが表す整理番号に対応した画像コンテンツを読出し、出力する。
【０００７】
【特許文献１】特開平５−１９９３７９号公報
【発明の開示】
【発明が解決しようとする課題】
【０００８】
特許文献１の画情報管理装置では、画像コンテンツの格納位置を、まず整理番号として表し、次に、当該整理番号を表すバーコードを生成している。すなわち、格納位置をバーコードに記録させるまでに二度の変換を行っているため、作業工程が増加する。さらに、整理番号は、画像コンテンツの格納位置自体を表すものではないため、画情報管理装置には、各格納位置と各整理番号との対応関係を予め記憶させておく必要がある。このように、特許文献１の画情報管理装置では、画像コンテンツの管理方法の工程数が多く、また、この管理方法を実行するために必要な構成および機能を設定させておく必要があるという課題がある。
【０００９】
本発明の目的は、外部記憶装置に格納された画像コンテンツの管理に対し、利便性を向上させることができる画像管理方法、および、これを実行させるコンピュータ読取可能な画像管理プログラムを提供することである。
【課題を解決するための手段】
【００１０】
前記した目的を達するために、本発明の画像管理方法は、画像コンテンツを表示する画像表示手段と、この画像表示手段を駆動制御する制御手段とを備えた画像表示装置で実行され、この画像表示装置に接続される外部記憶装置に格納された画像コンテンツを前記画像表示手段に表示させて管理する画像管理方法であって、前記制御手段は、前記画像表示手段に表示された画像コンテンツの前記外部記憶装置内における格納位置を取得する格納位置取得ステップと、取得した格納位置に基づいて、二次元コードまたはバーコードから成り、前記画像コンテンツの格納位置を表す識別コードを生成する識別コード生成ステップと、生成した識別コードを、前記画像表示手段、および、前記画像表示装置に接続される印刷出力装置のうち少なくともいずれかに出力する識別コード出力ステップとを実行することを特徴とする。
【００１１】
画像表示装置として、例えば、テレビ、モニタ付デジタルカメラ、モニタ付プリンタ、モニタ付携帯電話、リアプロジェクタ等を挙げることができる。外部記憶装置として、画像表示装置に搭載されたハードディスク、また、記憶媒体であるＣＤ−ＲＷ、ＤＶＤ−ＲＷ、ＤＶＤ−ＲＡＭ、ＵＳＢメモリ、ＥＥＰＲＯＭ、および、メモリカード等を挙げることができる。
【００１２】
本発明によれば、制御手段は、画像コンテンツの外部記憶装置内における格納位置を取得し、次に、取得した格納位置に基づいて、当該格納位置を表す識別コードを生成し、その後、画像表示手段、および、画像表示装置に接続される印刷出力装置のうち少なくともいずれかに出力する。すなわち、本発明によれば、画像表示手段に表示された画像コンテンツの格納位置を識別コードに記録させ、当該識別コードを、画像表示手段または印刷出力装置に出力させることができる。
【００１３】
これによれば、操作者は、例えば、画像表示手段に表示された識別コードを、カメラ等で撮影したり、印刷出力装置で識別コードを用紙に印刷したりすることによって、画像コンテンツの格納位置を表す識別コードを保存・保管することができる。さらに、操作者は、画像コンテンツの格納位置を記憶しておいたり、書き留めたりする手間を低減することができる。
従って、外部記憶装置に格納された画像コンテンツの管理方法における利便性を向上させることができる。
【００１４】
また、識別コードは、二次元コードまたはバーコードであるので、識別コードに記録された情報を人間の目によって解読することはできない。これによれば、画像コンテンツの格納位置が記録された識別コードが他人の目に触れても、当該格納位置が他人に知られることはない。従って、画像コンテンツの格納位置の機密性を向上させることができる。
【００１５】
本発明では、前記画像表示装置には、二次元コードまたはバーコードを読取るコード読取装置が接続され、前記制御手段は、前記コード読取装置により二次元コードまたはバーコードが読取られると、読取られた二次元コードまたはバーコードが前記識別コードであるか否かを判定するコード種別判定ステップと、前記判定の結果、前記識別コードと判定されると、前記識別コードから、この識別コードに応じた画像コンテンツの前記格納位置を解読する識別コード解読ステップと、解読された前記格納位置に格納される前記画像コンテンツを呼出して、前記画像表示手段、および、前記印刷出力装置のうち少なくともいずれかに出力する画像出力ステップとを実行することが好ましい。
【００１６】
本発明によれば、制御手段は、コード読取装置により二次元コードまたはバーコードが読取られると、読取られた二次元コードまたはバーコードが識別コードであるか否かを判定し、この判定の結果、識別コードと判定すると、当該識別コードから、当該識別コードに応じた画像コンテンツの格納位置を解読し、その後、解読された格納位置に格納される画像コンテンツを呼出して、画像表示手段、および、印刷出力装置のうち少なくともいずれかに出力する。すなわち、本発明によれば、識別コードをコード読取装置に読み込ませると、当該識別コードに応じた画像コンテンツを、画像表示手段または印刷出力装置に即座に出力させることができる。
【００１７】
これによれば、操作者は、ある画像コンテンツを出力したい場合、当該画像コンテンツの格納位置に辿り着くまで外部記憶装置内でフォルダの選択を繰り返す作業を行わずとも、当該格納位置が記録された識別コードを、コード読取装置に読取らせるだけで、当該画像コンテンツを即座に出力することができる。また、操作者が、当該画像コンテンツの格納位置を忘れてしまっても、当該格納位置が記録された識別コードを、コード読取装置に読取らせるだけで、当該画像コンテンツを当該格納位置から即座に呼出し、出力することができる。
従って、外部記憶装置に格納された画像コンテンツの管理方法における利便性を向上させることができる。
【００１８】
本発明では、前記識別コード生成ステップは、取得した前記格納位置に格納された前記画像コンテンツの出力設定情報を含めて前記識別コードを生成することが好ましい。
ここで、出力設定情報として、画像コンテンツの明るさ、コントラスト、拡大および回転、彩度、色調、ガンマ補正等の出力設定値を挙げることができる。
【００１９】
本発明によれば、制御手段は、取得した格納位置に格納された画像コンテンツの出力設定情報を、当該格納位置と含めて識別コードを生成する。すなわち、本発明によれば、画像表示手段に表示された画像コンテンツの出力設定情報を、格納位置とともに識別コードに記録させ、画像表示手段または印刷出力装置に出力させることができる。
【００２０】
これによれば、操作者は、例えば、画像表示手段に表示された識別コードを、カメラ等で撮影したり、印刷出力装置によって識別コードを印刷用紙に印刷したりすることによって、当該画像コンテンツの格納位置および出力設定情報が記録された識別コードを保存・保管することができる。さらに、操作者は、当該画像コンテンツの格納先および出力設定情報を記憶したり、書き留めたりするなどの手間を低減することができる。
従って、外部記憶装置に格納された画像コンテンツの管理方法における利便性を向上させることができる。
【００２１】
本発明では、前記識別コード解読ステップは、前記識別コードから、この識別コードに応じた前記画像コンテンツの前記出力設定情報をも含めて解読し、前記画像出力ステップは、解読された前記格納位置に格納される前記画像コンテンツを呼出すとともに、解読された前記出力設定情報に基づいて、前記画像表示手段、および、前記印刷出力装置のうち少なくともいずれかに出力することが好ましい。
【００２２】
本発明によれば、制御手段は、識別コードから、この識別コードに応じた画像コンテンツの出力設定情報をも含めて解読し、この解読された格納位置に格納される画像コンテンツを呼出すとともに、解読された出力設定情報に基づいて、画像表示手段、および、印刷出力装置のうち少なくともいずれかに出力する。すなわち、本発明によれば、識別コードをコード読取装置に読み込ませると、当該識別コードに応じた画像コンテンツを、出力設定情報に基づいた出力設定に変更させて、画像表示手段または印刷出力装置に即座に出力させることができる。
【００２３】
これによれば、操作者は、画像コンテンツを画像表示装置に表示し、表示された当該画像コンテンツの出力設定情報を調節する作業を行う必要はない。つまり、操作者は、当該格納位置および当該出力設定情報が記録された識別コードを、コード読取装置に読取らせるだけで、当該画像コンテンツを、当該出力設定情報に基づいた出力設定で即座に出力することができる。また、操作者が、画像コンテンツの出力設定情報を忘れてしまっても、当該出力設定情報が記録された識別コードを、コード読取装置に読取らせるだけで、画像コンテンツを、当該出力設定情報に基づいた出力設定で即座に出力することができる。
従って、操作者は、画像コンテンツを以前と同じ出力設定で出力できるとともに、画像コンテンツの出力設定の復元に要する手間を低減することができる。
【００２４】
本発明では、前記出力設定情報には、前記画像コンテンツの出力先となる機種情報が含まれていることが好ましい。
本発明によれば、制御手段は、出力先の機種情報を含んで識別コードを生成し、当該識別コードに応じた画像コンテンツが印刷される際に、当該機種情報に基づく出力先を選択して出力させる。すなわち、当該画像コンテンツを、前回の出力時と同じ画像表示手段、または、印刷出力装置により出力させることができる。
【００２５】
従って、操作者は、機種情報が記録された識別コードをコード読取装置に読取らせるだけで、前回と同じイメージで出力された画像コンテンツを得ることができる。さらに、操作者は、前回の出力時に出力先を記憶しておいたり、再度出力先を選択したりする手間を低減することができる。
【００２６】
また、本発明は、画像音声再生方法の発明を画像表示装置上で実行させるプログラムとしても構成することができる。すなわち、本発明の画像管理プログラムは、画像コンテンツを表示する画像表示手段と、この画像表示手段を駆動制御する駆動制御手段とを備えた画像表示装置で実行されるコンピュータ読取可能なプログラムであって、請求項１〜請求項５のいずれかに記載の画像管理方法を前記制御手段に実行させることを特徴とする。
【００２７】
本発明によれば、本発明をプログラムとして構成することにより、任意の画像表示装置を、前述した作用および効果を享受できる画像表示装置とすることができるので、汎用性を拡大することができる。
【発明を実施するための最良の形態】
【００２８】
以下、本発明の一実施形態を図面に基づいて説明する。画像表示装置としてリアプロジェクタを採用する。
本実施形態に係るリアプロジェクタで実行される画像管理方法を、図１〜図１０に基づいて説明する。
（１）識別コード１０の構成
図１は、本実施形態で用いる識別コード１０を示す図である。
識別コード１０は、図１に示すように、略正方形の２次元コードである。識別コード１０には、３つの隅に配置された正方形の位置検出パターン１０１と、多数のセル１０３が並べられたデータ領域１０２とが設けられている。データ領域１０２には、セル１０３の配置により、英数字、バイナリ、かな、漢字および記号等のデータを記録させることができる。操作者は、この識別コード１０を、用紙に印字させたり、画像ファイルとして外部記憶装置等に記録させたりすることで、データを保存・保管することができる。
【００２９】
識別コード１０に記録されたデータは、後述する専用のコードリーダ２によって読取ることができる。さらに、このデータは、位置検出パターン１０１によって、コードリーダ２の３６０度いずれの方向への走査によっても読取ることができる。
【００３０】
（２）リアプロジェクタ１の構成
リアプロジェクタ１は、光源から射出された光束を、入力する画像情報に応じて変調して光学像を形成し、さらに形成した光学像を、このリアプロジェクタ１に設けられた透光性のスクリーン１６に拡大投写するものである。
（２−１）リアプロジェクタ１の外観構成
図２は、本実施形態のリアプロジェクタ１を示す正面図である。
リアプロジェクタ１は、下面に脚部が取付けられた下部キャビネット１１と、この下部キャビネット１１の上に設置された上部キャビネット１２とから構成される。リアプロジェクタ１には、リモートコントローラ１３と、ケーブル２５を介したコード読取装置としてのコードリーダ２が接続されている。
【００３１】
上部キャビネット１２には、前面にスクリーン１６が露出して設けられている。
リモートコントローラ１３は、表面に設けられた複数の操作ボタン１３１の操作に応じた制御信号を後述する制御基板５（図５）に出力することで、リアプロジェクタ１の遠隔制御を行うことができる。
【００３２】
下部キャビネット１１には、前面において、操作パネル１４と、インターフェイス１５と、プリンタ送出口４１とが設けられるとともに、後述する光学装置３（図３）、プリンタ４（図３）および制御基板５（図５）とが収納されている。
操作パネル１４は、電源スイッチ等の複数の操作スイッチを有し、操作スイッチの操作に応じた制御信号を制御基板５（図５）に出力する。
【００３３】
インターフェイス１５では、記録媒体および周辺機器が接続され、情報の入出力が行われる。インターフェイス１５には、メモリカード６およびコンパクトフラッシュ（登録商標）等の外部記憶装置が接続可能なメモリスロット部１５１と、ＤＶ（Digital Video）入力端子、ＰＣ（Personal Computer）入力端子および拡張端子等を有する接続端子部１５２とが設けられている。なお、本実施形態では、画像コンテンツが記録されたメモリカード６がメモリスロット部１５１に接続される。接続端子部１５２には、プリンタ、デジタルビデオおよびＰＣ等を接続することができる。
プリンタ送出口４１は、後述するプリンタ４（図３）で印刷されたプリント用紙を外部へ送出すための開口である。
【００３４】
コードリーダ２は、本発明のコード読取装置に相当し、識別コード１０（図１）を読取るための専用のリーダである。コードリーダ２は、持ち手部２１と、持ち手部の一方端に設けられ、照射面２２１を有するヘッド部２２と、照射面２２１に露出して設けられた発光体２３および受光体２４と、これらを制御する内蔵されたコントローラ（図示省略）とを備えている。コントローラは、ケーブル２５を介して、接続端子部１５２および制御基板５（図５）に電気的に接続されている。
【００３５】
ヘッド部２２の照射面２２１を、識別コード１０と相対させると、発光体２３より照射される赤外線が識別コード１０に反射される。この反射光を受光体２４が受光する。さらに、受光体２４は、受光した反射光の濃度からセル１０３（図１）の配置を認識し、そのセル情報をコントローラへ出力する。コントローラは受信したセル情報を制御基板５へ出力する。
【００３６】
（２−２）リアプロジェクタ１の内部構成
図３は、リアプロジェクタ１を側方から見た模式断面図、図４は、光学装置３を構成する光学系を示す模式図である。
リアプロジェクタ１の筐体内には、図３に示すように、光学装置３と、反射ミラー１７と、プリンタ４と、音声出力装置（図示省略）と、電源装置（図示省略）と、これらの駆動制御を行う制御基板５とが配置されている。
【００３７】
反射ミラー１７は、光学装置３から照射された光学像をスクリーン１６へ向けて反射する。反射ミラー１７は、平面視略台形状に形成された一般的なミラーであり、上部キャビネット１２の背面壁の内側に、台形状の長辺が上側となるように傾斜して取付けられる。
また、プリンタ４は、本発明の印刷出力装置に相当し、入力された印刷情報に応じて画像等をプリント用紙へ印刷し、そのプリント用紙をプリンタ送出口から送出す。プリンタ４には、インクカセット（図示省略）とプリント用紙（図示省略）が予めセットされている。
【００３８】
（２−２−１）光学装置３の構成
光学装置３は、本発明の画像表示手段に相当し、図３および図４に示すように、光源装置３１から射出された光束を、液晶パネル３５１により入力する画像情報に応じて変調して光学像を形成し、当該形成した光学像を投射レンズ３６により反射ミラー１７を介して、スクリーン１６に拡大投射するものである。この光学装置３は、下部キャビネット１１の底面部の上面に設けられた光学装置載置台上１１１に載置される。
なお、この光学装置載置台１１１は、複数の板状部材から構成され、光学装置３を所定の位置に固定するための板状部材である。
【００３９】
このような光学装置３は、図４に示すように、光源装置３１と、インテグレータ照明光学系３２と、色分離光学系３３と、リレー光学系３４と、電気光学装置３５と、投射レンズ３６と、これらを内部に収納する光学部品用筐体と、投射レンズ３６を保持固定するヘッド体（図示省略）とを備えて構成されている。
【００４０】
光源装置３１は、放射光源としての光源ランプ３１１と、リフレクタ３１２と、防爆ガラス３１３とを備えて構成されている。そして、この光源装置３１は、光源ランプ３１１から射出された放射状の光線をリフレクタ３１２で反射して平行光線とし、この平行光線を、防爆ガラス３１３を介して外部へと射出する。
このうち、光源ランプ３１１は、本実施形態では、高圧水銀ランプが採用されている。なお、高圧水銀ランプ以外に、メタルハライドランプやハロゲンランプ等を採用することもできる。また、リフレクタ３１２としては、放物面鏡を採用しているが、放物面鏡の代わりに、平行化凹レンズおよび楕円面鏡を組み合わせたものを採用してもよい。
【００４１】
防爆ガラス３１３は、リフレクタ３１２の開口部分を閉塞する透光性のガラス部材であり、光源ランプ３１１が破裂した場合に、当該光源ランプ３１１の破片が外部に飛散しないように構成されている。
【００４２】
インテグレータ照明光学系３２は、電気光学装置３５を構成する後述する３つの液晶パネル３５１の画像形成領域をほぼ均一に照明するための光学系である。このインテグレータ照明光学系３２は、第１レンズアレイ３２１と、第２レンズアレイ３２２と、偏光変換素子３２３と、重畳レンズ３２４とを備えて構成されている。
【００４３】
第１レンズアレイ３２１は、光軸方向から見てほぼ矩形状の輪郭を有する小レンズがマトリクス状に配列された構成を有し、各小レンズは、光源装置３１から射出された光束を複数の部分光束に分割している。
第２レンズアレイ３２２は、第１レンズアレイ３２１と略同様な構成を有しており、小レンズがマトリクス状に配列された構成を有している。この第２レンズアレイ３２２は、重畳レンズ３２４とともに、第１レンズアレイ３２１の各小レンズの像を後述する液晶パネル３５１上に結像させる機能を有する。
【００４４】
偏光変換素子３２３は、第２レンズアレイ３２２と重畳レンズ３２４との間に配設される。このような偏光変換素子３２３は、第２レンズアレイ３２２からの光を略１種類の直線偏光に変換するものであり、これにより、電気光学装置３５での光の利用効率が高められている。
【００４５】
具体的に、偏光変換素子３２３によって略１種類の直線偏光に変換された各部分光は、重畳レンズ３２４によって最終的に電気光学装置３５の後述する液晶パネル３５１上にほぼ重畳される。偏光光を変調するタイプの液晶パネル３５１を用いたリアプロジェクタ１では、１種類の直線偏光しか利用できないため、他種類のランダムな偏光光を発する光源ランプ３１１からの光のほぼ半分が利用されない。そこで、偏光変換素子３２３を用いることにより、光源ランプ３１１から射出された光束を略１種類の直線偏光に変換し、電気光学装置３５での光の利用効率を高めている。
なお、このような偏光変換素子３２３は、例えば特開平８−３０４７３９号公報に紹介されている。
【００４６】
色分離光学系３３は、２枚のダイクロイックミラー３３１，３３２と、反射ミラー３３３とを備え、ダイクロイックミラー３３１，３３２により、インテグレータ照明光学系３２から射出された複数の部分光束を赤（Ｒ）、緑（Ｇ）、青（Ｂ）の３色の色光に分離する機能を有している。
【００４７】
リレー光学系３４は、入射側レンズ３４１と、リレーレンズ３４３と、反射ミラー３４２，３４４とを備え、色分離光学系３３で分離された色光である赤色光を電気光学装置３５の後述する赤色光用の液晶パネル３５１Ｒまで導く機能を有している。
【００４８】
この際、色分離光学系３３のダイクロイックミラー３３１では、インテグレータ照明光学系３２から射出された光束の赤色光成分と緑色光成分とが透過するとともに、青色光成分が反射する。ダイクロイックミラー３３１によって反射した青色光は、反射ミラー３３３で反射し、フィールドレンズ３５５を通って、電気光学装置３５の後述する青色光用の液晶パネル３５１Ｂに到達する。このフィールドレンズ３５５は、第２レンズアレイ３２２から射出された各部分光束をその中心軸（主光線）に対して平行な光束に変換する。他の緑色光用、赤色光用の光変調装置の光束入射側に設けられたフィールドレンズ３５５も同様である。
【００４９】
また、ダイクロイックミラー３３１を透過した赤色光と緑色光のうちで、緑色光は、ダイクロイックミラー３３２によって反射し、フィールドレンズ３５５を通って、緑色光用の液晶パネル３５１Ｇに到達する。一方、赤色光は、ダイクロイックミラー３３２を透過してリレー光学系３４を通り、さらにフィールドレンズ３５５を通って、赤色光用の液晶パネル３５１Ｒに到達する。
【００５０】
なお、赤色光にリレー光学系３４が用いられているのは、赤色光の光路の長さが他の色
光の光路の長さよりも長いため、光の発散等による光の利用効率の低下を防止するためである。すなわち、入射側レンズ３４１に入射した部分光束をそのまま、フィールドレンズ４５５に伝えるためである。なお、リレー光学系３４には、３つの色光のうち赤色光を通す構成としたが、これに限らず、例えば、青色光、緑色光を通す構成としてもよい。
【００５１】
電気光学装置３５は、入射された光束を画像情報に応じて変調してカラー画像を形成するものであり、色分離光学系３３で分離された各色光が入射される３つの入射側偏光板３５２と、各入射側偏光板３５２の光路後段に配置される光変調素子としての３つの液晶パネル３５１（赤色光用の液晶パネルを３５１Ｒ、緑色光用の液晶パネルを３５１Ｇ、青色光用の液晶パネルを３５１Ｂとする）と、各液晶パネル３５１の光路後段に配置される３つの射出側偏光板３５３と、色合成光学装置としてのクロスダイクロイックプリズム３５４とを備える。そして、これら入射側偏光板３５２、液晶パネル３５１、射出側偏光板３５３、およびクロスダイクロイックプリズム３５４は、一体的にユニット化されている。なお、入射側偏光板３５２、液晶パネル３５１、および、射出側偏光板３５３は、具体的な図示は省略するが、所定の間隔を空けて配置している。
【００５２】
入射側偏光板３５２は、偏光変換素子３２３で偏光方向が略一方向に揃えられた各色光が入射され、入射された光束のうち、偏光変換素子３２３で揃えられた光束の偏光軸と略同一方向の偏光光のみ透過させ、その他の光束を吸収するものである。この入射側偏光板３５２は、例えば、サファイアガラスまたは水晶等の透光性基板上に偏光膜が貼付された構成を有している。
【００５３】
液晶パネル３５１は、一対の透明ガラス基板に電気光学物質である液晶が密閉封入された構成を有し、後述する制御基板から出力される駆動信号に応じて、画像形成領域内にある前記液晶の配向状態が制御され、入射側偏光板３５２から射出された偏光光束の偏光方向を変調する。
射出側偏光板３５３は、入射側偏光板３５２と略同様の構成であり、液晶パネル３５１の画像形成領域から射出された光束のうち、入射側偏光板３５２における光束の透過軸と直交する偏光軸を有する光束のみ透過させ、その他の光束を吸収するものである。
【００５４】
クロスダイクロイックプリズム３５４は、射出側偏光板３５３から射出された色光毎に変調された光学像を合成してカラー画像を形成する光学素子である。このクロスダイクロイックプリズム３５４は、４つの直角プリズムを貼り合わせた平面視正方形状をなし、直角プリズム同士を貼り合わせた界面には、２つの誘電体多層膜が形成されている。これら誘電体多層膜は、液晶パネル３５１Ｒ，３５１Ｂから射出され射出側偏光板３５３を介した各色光を反射し、液晶パネル３５１Ｇから射出され射出側偏光板３５３を介した色光を透過する。このようにして、各液晶パネル３５１Ｒ，３５１Ｇ，３５１Ｂにて変調された各色光が合成され、カラー画像が形成される。
【００５５】
投射レンズ３６は、鏡筒内に複数のレンズ、および、入射光束を偏向するミラーが収納された構成を有し、電気光学装置３５から射出されたカラー画像を拡大して、反射ミラー１７（図３）に向けて、すなわち、正面に向かって射出されたカラー画像を上方向に向けて折り曲げて投射するものである。この投射レンズ３６は、電気光学装置３５の光束射出側に配置され、後述するヘッド体３８に固定されている。また、この投射レンズ３６は、図３に示すように、下部キャビネット１１の正面側略中央に配置され、前述の上部キャビネット１２の底面壁１２１に形成された切欠（図示省略）から上部キャビネット１２内部に露出する。
【００５６】
光学部品用筐体３７は、内部に所定の照明光軸Ｃが設定され、上述した光学部品３２〜３５を照明光軸Ｃに対する所定位置に配置する。
ヘッド体３８は、例えばアルミニウム合金またはマグネシウム合金等の金属材料から構成され、電気光学装置３５および投射レンズ３６を一体化するとともに、一体化したユニットを光学部品用筐体３７に対して取付けるものである。
【００５７】
（２−２−２）制御基板５の構成
図５は、制御基板５の詳細な構成を示すブロック図である。
制御基板５は、本発明の制御手段に相当し、前述のように、リアプロジェクタ１の駆動制御を行う。制御基板５は、ＣＰＵ（Central Processing Unit）等を備えた回路基板として構成されている。
この制御基板５は、リアプロジェクタ１を駆動制御する演算処理部５１と、ＲＯＭ（Read Only Memory）５２と、ＲＡＭ（Random Access Memory）５３と、ドライバＩＣ５４１と、ドライバＩＣ５４２とを含み構成されている。
【００５８】
このうち、ＲＯＭ５２は、演算処理部５１によって処理されるプログラムや各種データが格納されている。具体的には、ＲＯＭ５２には、リアプロジェクタ制御プログラム、および、画像管理プログラム等が格納されている。また、ＲＡＭ５３は、演算処理部５１の作業メモリとして利用され、必要に応じて、ＲＯＭ５２の制御データ等が一時的に書き込まれる。
ドライバＩＣ５４１は、入力された表示制御信号に基づいて光学装置３の駆動制御を行う。また、ドライバＩＣ５４２は、入力された印刷制御信号に基づいてプリンタ４の駆動制御を行う。
【００５９】
図６は、演算処理部５１の構成を詳細に示すブロック図である。
演算処理部５１は、図６に示すように、識別コード作成部５５と、画像検索出力部５６とを含み構成される。
識別コード作成部５５は、光学装置３によりスクリーン１６に表示された画像コンテンツの格納位置Ａ（図７）と、出力設定情報Ｂとしての表示設定情報Ｂ１（図７）および印刷設定情報Ｂ２（図７）とが記録された識別コード１０（図１）を作成する。
【００６０】
図７は、演算処理部５１内において認識される格納位置Ａ、表示設定情報Ｂ１、および、印刷設定情報Ｂ２を示す図である。
格納位置Ａとは、図７（Ａ）に示すように、スクリーン１６に表示された画像コンテンツのメモリカード６内のパスを示す。また、表示設定情報Ｂ１とは、図７（Ｂ）に示すように、当該画像コンテンツを光学装置３により表示する際に、当該画像コンテンツの明るさ、コントラスト、拡大および回転の表示設定値を示す。同じく、印刷設定情報Ｂ２とは、図７（Ｂ）に示すように、当該画像コンテンツをプリンタ４により印刷する際に、当該画像コンテンツの明るさ、コントラスト、拡大および回転の印刷設定値を示す。  
【００６１】
まず、識別コード作成部５５について説明する。
識別コード作成部５５は、図６に示すように、格納位置取得部５５１と、出力設定情報取得部５５２と、識別コード生成部５５３と、識別コード出力部５５４とから構成される。
格納位置取得部５５１は、識別コード作成信号を受信すると、スクリーン１６に表示された画像コンテンツのメモリカード６内における格納位置Ａを取得する。具体的には、格納位置取得部５５１は、メモリカード６内におけるディレクトリ構造を読取ることにより、画像コンテンツのパスを取得する。さらに、格納位置取得部５５１は、取得した格納位置Ａのデータを出力する。なお、取得された格納位置Ａは、図７（Ａ）に示すようなテキスト形式で認識されている。
【００６２】
出力設定情報取得部５５２は、識別コード作成信号または画像印刷信号を受信すると、スクリーン１６に表示された画像コンテンツの出力設定情報Ｂを取得する。出力設定情報取得部５５２は、表示設定情報取得部５５５と、印刷設定情報取得部５５６とから構成される。
表示設定情報取得部５５５は、識別コード作成信号を受信すると、スクリーン１６に表示された画像コンテンツの表示設定情報Ｂ１を画像表示制御部５６５から取得する。さらに、表示設定情報取得部５５５は、取得した表示設定情報Ｂ１のデータを出力する。なお、後述するが、画像表示制御部５６５とは、画像コンテンツの表示制御を行うものである。
【００６３】
印刷設定情報取得部５５６は、画像印刷信号を受信すると、当該画像コンテンツを、プリンタ４で印刷する際の印刷設定情報Ｂ２を、画像印刷制御部５６６から取得する。さらに、印刷設定情報取得部５５６は、取得した印刷設定情報Ｂ２のデータを出力する。画像印刷制御部５６６とは、後述するが、画像コンテンツの印刷制御を行うものである。
なお、取得された表示設定情報Ｂ１および印刷設定情報Ｂ２は、図７（Ｂ）に示すようなテキスト形式で認識されている。
【００６４】
識別コード生成部５５３は、格納位置取得部５５１および出力設定情報取得部５５２で取得された格納位置Ａ、表示設定情報Ｂ１および印刷設定情報Ｂ２を、セル１０３（図１）の配置に変換して、識別コード１０を生成する。なお、当該識別コード１０は、例えば、ＪＰＥＧ形式で生成される。
【００６５】
識別コード出力部５５４は、識別コード生成部５５３で生成された当該識別コード１０を、光学装置３によりスクリーン１６に表示させる。さらに、識別コード出力部５５４は、識別コード印刷信号を受信すると、プリンタ４により生成した当該識別コード１０および当該画像コンテンツを、１枚のプリント用紙に印刷させる。なお、識別コード出力部５５４は、識別コード１０のみを印刷させることもできる。
この識別コード作成部５５による駆動制御は、ＲＯＭ５２に格納された画像管理プログラムに基づいて行われる。
【００６６】
次に、画像検索出力部５６について説明する。
画像検索出力部５６は、コードリーダ２により識別コード１０が読取られると、当該識別コード１０に記録された格納位置Ａに基づいて画像コンテンツを呼出し、当該画像コンテンツを、当該識別コード１０に記録された表示設定情報Ｂ１および印刷設定情報Ｂ２に基づいて出力する。
画像検索出力部５６は、コード種別判定部５６１と、識別コード解読部５６２と、画像出力部５６３とから構成される。
コード種別判定部５６１は、コードリーダ２により二次元コードまたはバーコードが読取られると、読取られた二次元コードまたはバーコードが識別コード１０であるか否かを判定する。ここで、二次元コードまたはバーコードは、例えば、ＪＰＥＧ形式で読取られている。
【００６７】
識別コード解読部５６２は、コード種別判定部５６１で読取られた二次元コードまたはバーコードが識別コード１０と判定されると、当該識別コード１０のセル１０３の配置から、当該識別コード１０に応じた画像コンテンツの格納位置Ａ、表示設定情報Ｂ１および印刷設定情報Ｂ２を解読し、これらを、図７に示すようなテキスト形式で表す。
【００６８】
画像出力部５６３は、識別コード解読部５６２で解読された格納位置Ａ、表示設定情報Ｂ１および印刷設定情報Ｂ２に基づいて、当該識別データに応じた画像コンテンツを呼出して出力する。
画像出力部５６３は、画像コンテンツ呼出部５６４と、画像表示制御部５６５と、画像印刷制御部５６６とから構成される。
画像コンテンツ呼出部５６４は、解読された格納位置Ａに格納される当該画像コンテンツをメモリカード６から呼出す。具体的には、画像コンテンツ呼出部５６４は、格納位置Ａに基づいてメモリカード６のディレクトリ構造を探索し、格納位置Ａに記録されている画像コンテンツを読取る。
【００６９】
画像表示制御部５６５は、画像コンテンツ呼出部５６４により呼出された当該画像コンテンツを、解読された表示設定情報Ｂ１に基づいて、光学装置３によりスクリーン１６に表示させる。具体的には、画像表示制御部５６５は、当該画像コンテンツの表示設定値を、当該表示設定情報Ｂ１に基づいて変更し、さらに、変更された表示設定値を含む表示制御信号を光学装置３のドライバＩＣ５４１へ出力する。
画像印刷制御部５６６は、画像印刷信号を受信すると、当該画像コンテンツを、解読された印刷設定情報Ｂ２に基づいて、プリンタ４によりプリント用紙に印刷させる。具体的には、画像印刷制御部５６６は、印刷制御信号に含まれる画像コンテンツの表示設定値を、印刷設定情報Ｂ２に基づいて変更し、さらに、当該印刷制御信号をプリンタ４のドライバＩＣに出力する。
この画像検索出力部５６による駆動制御は、ＲＯＭ５２に格納された画像管理プログラムに基づいて行われる。
【００７０】
（３）画像表示画面７の構成
本実施形態では、識別コード１０の作成時、および、画像コンテンツの検索・出力時には、スクリーン１６に画像表示画面７が表示される。
図８は、スクリーン１６に表示された画像表示画面７を示す図である。
画像表示画面７は、画像表示領域７１と、ＭＥＮＵ領域７２とを備えている。画像表示領域７１には、メモリカード６に記録された画像コンテンツのうち、操作者によって選択された画像コンテンツが表示される。ＭＥＮＵ領域７２には、上部に識別コード設定パネル７３、下部に画像コンテンツ設定パネル７４が表示される。
【００７１】
識別コード設定パネル７３には、識別コード表示領域７３１と、識別コード作成ボタン７３２と、識別コード印刷ボタン７３３とが設けられている。
画像コンテンツ設定パネル７４には、画像出力設定パネル７５として、明るさ調節バー７５１、コントラスト調節バー７５２、拡大値入力スペース７５３および回転値入力スペース７５４と、画像印刷ボタン７４１とが設けられている。画像出力設定パネルを調節することによって、それぞれ、画像表示領域７１に表示される画像コンテンツの明るさ、コントラスト、拡大および回転の出力設定を変えることができる。
【００７２】
なお、これら、ＭＥＮＵ領域７２の各ボタン７３２，７３３，７４１、バー７５１，７５２、および、スペース７５３，７５４は、操作者が操作ボタン１３１、または、操作パネル１４を操作することによって選択または調節され、実行されることができる。これらは実行されると、各制御指令を表す制御信号を制御基板５に出力する。例えば、識別コード作成ボタン７３２、識別コード印刷ボタン７３３、および、画像印刷ボタン７４１が実行されると、それぞれ、識別コード作成信号、識別コード印刷信号、および、画像印刷信号が制御基板５に出力される。
【００７３】
（４）識別コード１０作成時における制御基板５の作用
図９は、識別コード１０作成時に制御基板５が実行する作用を示す図である。
ここで、識別コード１０作成時における制御基板５の作用について、図８および図９に基づいて説明する。
【００７４】
まず、操作者は、画像コンテンツが記録されたメモリカード６をリアプロジェクタ１のメモリスロット部１５１に差込んで、メモリカード６をリアプロジェクタ１に接続する。制御基板５は、メモリカード６の接続を検出すると、スクリーン１６に画像表示画面７を表示する。
さらに、操作者は、操作パネル１３１，１４を操作して、メモリカード６に記録された画像コンテンツの中から１つの画像コンテンツを選択する。これに応じて、画像表示制御部５６５は、画像表示画面７の画像表示領域７１に、選択された画像コンテンツを表示する。
次に、操作者は、表示された当該画像コンテンツを所望のイメージになるまで、操作ボタン１３１または操作パネル１４を操作して、画像表示画面７の画像出力設定パネル７５を調節する
。当該画像コンテンツを所望のイメージで表示できたら、操作者は、識別コード作成ボタン７３２を実行する。
【００７５】
識別コード作成部５５は、操作ボタン１３１または操作パネル１４から出力される識別コード作成信号を検出したか否かを判定する（Ｓ１）。識別コード作成信号が検出されない場合には、識別コード作成部５５は、識別コード作成信号の検出状態の監視を続行する。
一方、識別コード作成信号が検出されると、格納位置取得部５５１は、画像表示領域７１に表示されている画像コンテンツの格納位置Ａを取得し、当該格納位置Ａをデータとして出力する（Ｓ２）。
【００７６】
次に、表示設定情報取得部５５５は、当該画像コンテンツの表示設定情報Ｂ１を取得し、当該表示設定情報Ｂ１をデータとして出力する（Ｓ３）。
識別コード生成部５５３は、当該格納位置Ａおよび表示設定情報Ｂ１を受信すると、当該格納位置Ａおよび表示設定情報Ｂ１が記録された識別コード１０を、ＪＰＥＧ形式で生成する（Ｓ４）。その後、識別コード出力部５５４は、生成された当該識別コード１０を、画像表示画面７の識別コード表示領域７３１に表示する（Ｓ５）。
すると、操作者は、画像表示領域７１に表示された画像コンテンツの格納位置Ａおよび表示設定情報Ｂ１が記録された識別コード１０を、画面表示として得ることができる。
【００７７】
その後、表示設定情報Ｂ１とは異なるイメージで当該画像コンテンツを印刷したい場合、操作者は、当該画像コンテンツを所望の印刷イメージになるまで、操作パネル１３１および１４を操作して、画像出力設定パネル７５を調節する。当該画像コンテンツを、所望の印刷イメージで表示できたら、操作者は、画像コンテンツ設定パネル７４の画像印刷ボタン７４１を実行する。
【００７８】
印刷設定情報取得部５５６は、操作ボタン１３１または操作パネル１４から出力される画像印刷信号を検出したか否かを判定している（Ｓ６）。画像印刷信号が検出されない場合、制御基板５は処理を終了する。一方、画像印刷信号が検出されると、印刷設定情報取得部５５６は、当該画像コンテンツの印刷設定情報Ｂ２を取得し、当該印刷設定情報Ｂ２をデータとして出力する（Ｓ７）。
【００７９】
識別コード生成部５５３は、当該印刷設定情報Ｂ２のデータを受信すると、処理Ｓ４で生成した当該識別コード１０に、印刷設定情報Ｂ２を付加して記録し、当該識別コード１０を更新する（Ｓ８）。その後、識別コード出力部５５４は、処理Ｓ８において更新された当該識別コード１０を、画像表示画面７の識別コード表示領域７３１に表示する（Ｓ９）。これと同時に、識別コード出力部５５４は、処理Ｓ８において更新された当該識別コード１０、および、画像表示領域７１に表示された当該画像コンテンツを、プリンタ４に印刷させる（Ｓ１０）。
すると、操作者は、画像コンテンツと、当該画像コンテンツの格納位置Ａ、表示設定情報Ｂ１および印刷設定情報Ｂ２が記録された識別コード１０とが印刷されたプリント用紙を、プリンタ送出口４１から受取ることができる。
【００８０】
なお、図９には図示を省略したが、操作者は、当該識別コード１０のみを印刷させることもできる。この場合、操作者は、識別コード印刷ボタン７３３のサブボタン（図示省略）を実行すればよい。
【００８１】
このような識別コード作成方法によれば、制御基板５は、画像コンテンツのメモリカード６内における格納位置Ａを取得し、次に、取得した格納位置Ａに基づいて、当該格納位置Ａを表す識別コード１０を生成し、その後、光学装置３、および、リアプロジェクタ１に接続されるプリンタ４のうち少なくともいずれかに出力する。すなわち、本発明によれば、光学装置３に表示された画像コンテンツの格納位置Ａを識別コード１０に記録させ、当該識別コード１０を、光学装置３またはプリンタ４に出力させることができる。
【００８２】
これによれば、操作者は、例えば、光学装置３に表示された識別コード１０を、カメラ等で撮影したり、プリンタ４により識別コード１０を用紙に印刷したりすることによって、画像コンテンツの格納位置Ａを表す識別コード１０を保存・保管することができる。さらに、操作者は、画像コンテンツの格納位置Ａを記憶しておいたり、書き留めたりする手間を低減することができる。
従って、メモリカード６に格納された画像コンテンツの管理方法における利便性を向上させることができる。
【００８３】
さらに、制御手段は、取得した格納位置Ａに格納された画像コンテンツの出力設定情報Ｂを、当該格納位置Ａと含めて識別コード１０を生成する。すなわち、本発明によれば、光学装置３に表示された画像コンテンツの出力設定情報Ｂを、格納位置Ａとともに識別コード１０に記録させ、光学装置３またはプリンタ４に出力させることができる。
これによれば、操作者は、例えば、光学装置３に表示された識別コード１０を、カメラ等で撮影したり、プリンタ４によって識別コード１０を印刷用紙に印刷したりすることによって、当該画像コンテンツの格納位置Ａおよび出力設定情報Ｂが記録された識別コード１０を保存・保管することができる。さらに、操作者は、当該画像コンテンツの格納位置Ａおよび出力設定情報Ｂを記憶したり、書き留めたりするなどの手間を低減することができる。
従って、メモリカード６に格納された画像コンテンツの管理方法における利便性を向上させることができる。
【００８４】
また、識別コード１０は、二次元コードまたはバーコードであるので、識別コード１０に記録された情報を人間の目によって解読することはできない。これによれば、画像コンテンツの格納位置Ａが記録された識別コード１０が他人の目に触れても、当該格納位置Ａが他人に知られることはない。従って、画像コンテンツの格納位置Ａの機密性を向上させることができる。
【００８５】
（５）画像コンテンツの検索および出力時における制御基板５の作用
図１０は、画像コンテンツの検索および出力時に制御基板５が実行する作用を示す図である。
次に、画像コンテンツの検索および出力時における制御基板５の作用について、図８および図１０に基づいて説明する。
画像検索出力部５６は、コードリーダ２（図１，図２）の動作状態の監視しており、コードリーダ２によりコード（二次元コードまたはバーコード）が読取られたか否かを判定している（ＳＡ１）。コードが読取られない場合、画像検索出力部５６は、処理ＳＡ１に戻り、コードリーダ２の動作状態の監視を続行する。
ここで、操作者は、メモリカード６をメモリスロット部１５１に接続させた状態で、コードリーダ２に、プリント用紙上の識別コード１０を読取らせる。
【００８６】
処理ＳＡ１において、コードリーダ２によりコードが読取られると、コード種別判定部５６１は、読取られたコードが画像管理プログラムで作成された識別コード１０であるか否かを判定する（ＳＡ２）。読取られたコードが画像管理プログラムで作成された識別コード１０ではないと判定された場合、コード種別判定部５６１は、スクリーン１６にエラーメッセージ「エラー：このコードは、本装置で作成されたものではありません。」を表示する（ＳＡ３）。続いて、コード種別判定部５６１は、読取られたコードの固体情報をスクリーン１６に表示させる（ＳＡ４）。その後、制御基板４は処理を終了する。
【００８７】
処理ＳＡ２において、読取られたコードが画像管理プログラムで作成された識別コード１０であると判定された場合、識別コード解読部５６２は、当該識別コード１０から、当該識別コード１０に応じた画像コンテンツの格納位置Ａ、表示設定情報Ｂ１および印刷設定情報Ｂ２を解読し、これらを、図７に示すようなテキスト形式で表す（ＳＡ５）。
【００８８】
次に、画像コンテンツ呼出部５６４は、処理ＳＡ５においてテキスト形式で表された当該格納位置Ａが、メモリカード６内に存在するか否かを判定する（ＳＡ６）。当該格納位置Ａがメモリカード６内に存在しないと判定された場合、画像コンテンツ呼出部５６４は、スクリーン１６に、エラーメッセージ「エラー：パスが見当たりません。」を表示する（ＳＡ３）。続いて、識別コード解読部５６２は、読取った識別コード１０から解読できる情報をスクリーン１６に表示させる（ＳＡ４）。その後、制御基板５は処理を終了する。
【００８９】
一方、当該格納位置Ａがメモリカード６内に存在すると判定された場合、制御基板５は、画像表示画面７をスクリーン１６に表示する。これとともに、画像コンテンツ呼出部５６４は、メモリカード６の当該格納位置Ａに画像コンテンツが記録されているか否かを判定する（ＳＡ７）。メモリカード６の当該格納位置Ａに画像コンテンツが記録されていないと判定された場合、画像出力部５６３を構成する画像表示制御部５６５は、画像表示画面７の画像表示領域７１に、当該格納位置Ａが示すフォルダ（図示省略）を表示する（ＳＡ８）。その後、制御基板５は処理を終了する。
【００９０】
一方、メモリカード６の当該格納位置Ａに画像コンテンツが記録されていると判定された場合、画像コンテンツ呼出部５６４は、当該画像コンテンツを読取る（ＳＡ９）。次に、画像表示制御部５６５が、読取られた画像コンテンツの出力設定値を、処理ＳＡ５において解読した表示設定情報Ｂ１を基づいて変更し（ＳＡ１０）、当該画像コンテンツを、画像表示画面７の画像表示領域７１に表示させる（ＳＡ１１）。
【００９１】
すると、操作者は、スクリーン１６上に、コードリーダ２に読込ませた識別コード１０に応じた画像コンテンツを、画面表示の形で得ることができる。このとき、表示された当該画像コンテンツは、前回、操作者によって調節された表示設定情報Ｂ１に基づいて表示されている。
次に、スクリーン１６に表示された当該画像コンテンツを、前回の印刷時と同じイメージで印刷させたい場合、操作者は、操作パネル１３１，１４を操作して、画像出力設定パネル７５の画像印刷ボタン７４１を実行する。
【００９２】
処理ＳＡ１２において、画像印刷制御部５６６は、操作パネル１３１，１４から出力される画像印刷信号を検出したか否かを判定している。画像印刷信号が検出されない場合、制御基板５は処理を終了する。
一方、画像印刷信号が検出されると、画像印刷制御部５６６は、当該コンテンツの印刷設定値を、ＳＡ５において解読した印刷設定情報Ｂ２を基づいて変更し（ＳＡ１３）、当該画像コンテンツをプリンタ４に印刷させる（ＳＡ１４）。
すると、操作者は、前回の印刷時と同じイメージの画像コンテンツが印刷されたプリント用紙を、プリンタ送出口４１から受取ることができる。
【００９３】
このような画像検索出力方法によれば、制御基板５は、コードリーダ２により二次元コードまたはバーコードが読取られると、読取られた二次元コードまたはバーコードが識別コード１０であるか否かを判定し、この判定の結果、識別コード１０と判定すると、当該識別コード１０から、当該識別コード１０に応じた画像コンテンツの格納位置Ａを解読し、その後、解読された格納位置Ａに格納される画像コンテンツを呼出して、光学装置３、および、プリンタ４のうち少なくともいずれかに出力する。すなわち、本発明によれば、識別コード１０をコードリーダ２に読み込ませると、当該識別コード１０に応じた画像コンテンツを、光学装置３またはプリンタ４に即座に出力させることができる。
【００９４】
これによれば、操作者は、ある画像コンテンツを出力したい場合、当該画像コンテンツの格納位置Ａに辿り着くまでメモリカード６内でフォルダの選択を繰り返す作業を行わずとも、当該格納位置Ａが記録された識別コード１０を、コードリーダ２に読取らせるだけで、当該画像コンテンツを即座に出力することができる。また、操作者が、当該画像コンテンツの格納位置Ａを忘れてしまっても、当該格納位置Ａが記録された識別コード１０を、コードリーダ２に読取らせるだけで、当該画像コンテンツを当該格納位置Ａから即座に呼出し、出力することができる。
従って、メモリカード６に格納された画像コンテンツの管理方法における利便性を向上させることができる。
【００９５】
制御基板５は、識別コード１０から、この識別コード１０に応じた画像コンテンツの出力設定情報Ｂをも含めて解読し、この解読された格納位置Ａに格納される画像コンテンツを呼出すとともに、解読された出力設定情報Ｂに基づいて、光学装置３、および、プリンタ４のうち少なくともいずれかに出力する。すなわち、本発明によれば、識別コード１０をコードリーダ２に読み込ませると、当該識別コード１０に応じた画像コンテンツを、出力設定情報Ｂに基づいた出力設定に変更させて、光学装置３またはプリンタ４に即座に出力させることができる。
【００９６】
これによれば、操作者は、画像コンテンツを画像表示装置に表示し、表示された当該画像コンテンツの出力設定情報Ｂを調節する作業を行う必要はない。つまり、操作者は、当該格納位置Ａおよび当該出力設定情報Ｂが記録された識別コード１０を、コードリーダ２に読取らせるだけで、当該画像コンテンツを、当該出力設定情報Ｂに基づいた出力設定で即座に出力することができる。また、操作者が、画像コンテンツの出力設定情報Ｂを忘れてしまっても、当該出力設定情報Ｂが記録された識別コード１０を、コードリーダ２に読取らせるだけで、画像コンテンツを、当該出力設定情報Ｂに基づいた出力設定で即座に出力することができる。
従って、操作者は、画像コンテンツを以前と同じ出力設定で出力できるとともに、画像コンテンツの出力設定の復元に要する手間を低減することができる。
【００９７】
また、図９および図１０に示す画像管理処理を、制御基板５に実行させる画像管理プログラムを構成することにより、任意の画像表示装置を、前述した作用および効果を享受できる画像表示装置とすることができるので、汎用性を拡大することができる。
【００９８】
（６）前記実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものであり、本発明を限定するものではないから、それらの形状、材質などの限定の一部若しくは全部の限定を外した部材の名称での記載は、本発明に含まれるものである。
【００９９】
前記実施形態では、画像表示装置としてリアプロジェクタ１を採用したが、本発明では、例えば、テレビ、モニタ付デジタルカメラ、モニタ付プリンタ、および、モニタ付携帯電話等を採用してもよい。
また、前記実施形態では、プリンタ４は、リアプロジェクタ１内に内蔵されているとしたが、本発明では、画像表示装置に電気的に接続されたプリンタであってもよい。
【０１００】
なお、画像表示装置に複数のモニタおよびプリンタが接続されている場合には、印刷設定情報取得部５５６に、画像コンテンツを出力させたいモニタおよびプリンタの個別の機種情報を、印刷設定情報Ｂ２に含めて取得させてもよい。
このような構成によれば、制御基板５は、モニタおよびプリンタの機種情報を含んで識別コード１０を生成し、さらに、当該識別コード１０に応じた画像コンテンツが印刷される際に、当該機種情報に基づくモニタおよびプリンタを選択して出力させる。すなわち、当該画像コンテンツを、前回の出力時と同じモニタおよびプリンタにより出力させることができる。
【０１０１】
従って、操作者は、機種情報が記録された識別コード１０をコードリーダ２に読取らせるだけで、前回と同じイメージで出力された画像コンテンツを得ることができる。さらに、操作者は、前回の出力時に、出力先であるモニタおよびプリンタを記憶しておいたり、再度、モニタおよびプリンタを選択したりする手間を低減することができる。
【０１０２】
前記実施形態では、識別コード１０として、図１で示すような二次元コードを用いたが、本発明では、識別コードは、格納位置Ａおよび出力設定情報Ｂを記録可能な容量を持つのものであれば、図１とは異なるコードを採用してよい。
前記実施形態では、外部記憶装置としてメモリカード６を用いたが、本発明では、外部記憶装置は、採用した画像表示装置に接続可能な外部記憶装置であればよく、例えば、ＣＤ−ＲＷ、ＤＶＤ−ＲＷ、ＤＶＤ−ＲＡＭ、ＵＳＢメモリ、および、ＥＥＰＲＯＭ等を採用してもよい。さらに、本発明では、外部記憶装置は、画像表示装置に搭載されたものであってもよい。
【０１０３】
前記実施形態では、スクリーン１６に表示された識別コード１０をプリント用紙に印刷することによって、当該識別コード１０を、持ち運び可能な状態で保管しておくことができるとしたが、本発明では、スクリーン１６に表示された識別コード１０を、例えば、デジタルカメラやカメラ付携帯電話等で撮影し、これらデジタルカメラやカメラ付携帯電話等に設けられた外部記憶装置に画像ファイルとして記憶させることによって、識別コード１０を保管してもよい。このようにすれば、リアプロジェクタ１にプリンタ４を備える必要はない。
【０１０４】
さらに、前記実施形態では、識別コード１０は、コードリーダ２を用いて読取るとしたが、上のように、識別コード１０が外部記憶装置に記憶されている場合には、当該外部記憶装置をリアプロジェクタ１のインターフェイス１５に接続し、当該外部記憶装置に記憶された識別コード１０を制御基板５に読取らせてもよい。このようにすれば、リアプロジェクタ１にコードリーダ２を備える必要はない。
【０１０５】
前記実施形態では、画像コンテンツの出力設定情報Ｂとして、明るさ、コントラスト、拡大および回転の出力設定値を採用したが、本発明では、これに限らず、例えば、彩度、色調、ガンマ補正等の出力設定値を採用してもよい。
【産業上の利用可能性】
【０１０６】
本発明は、テレビ、モニタ付デジタルカメラ、モニタ付プリンタ、および、モニタ付き携帯電話等の画像表示装置で実行され、これら画像表示装置の外部記憶装置に格納された画像コンテンツを管理する画像管理方法、および、当該画像管理方法を実行させるコンピュータ読取可能なプログラムに利用することができる。
【図面の簡単な説明】
【０１０７】
【図１】本発明の一実施形態にかかる識別コードを示す図。
【図２】前記実施形態にかかるリアプロジェクタ、コードリーダ、および、外部記憶装置を示す正面図。
【図３】前記実施形態にかかるリアプロジェクタの内部構造を示す模式断面図。
【図４】前記実施形態にかかる光学装置を構成する光学系を示す模式図。
【図５】前記実施形態にかかる制御手段の構成を示すブロック図。
【図６】前記実施形態にかかる演算処理部の構成を詳細に示すブロック図。
【図７】前記実施形態にかかる格納位置および出力設定情報を示す図。
【図８】前記実施形態にかかる画像表示画面を説明するための図。
【図９】前記実施形態にかかる識別コード作成時の制御手段の作用を示すフロー図。
【図１０】前記実施形態にかかる画像検索および出力時の制御手段の作用を示すフロー図。
【符号の説明】
【０１０８】
１…リアプロジェクタ（画像表示装置）、２…コードリーダ（コード読取装置）、３…光学装置（画像表示手段）、４…プリンタ（印刷出力装置）、５…制御基板（制御手段）、６…メモリカード（外部記憶装置）、１０…識別コード、５５１…格納位置取得部、５５２…出力設定情報取得部、５５３…識別コード生成部、５５４…識別コード出力部、５６１…コード種別判定部、５６２…識別コード解読部、５６３…画像出力部、Ａ…格納位置、Ｂ…出力設定情報
【図１】
2006227931.tif 000003
【図２】
2006227931.tif 000004
【図３】
2006227931.tif 000005
【図４】
2006227931.tif 000006
【図５】
2006227931.tif 000007
【図６】
2006227931.tif 000008
【図７】
2006227931.tif 000009
【図８】
2006227931.tif 000010
【図９】
2006227931.tif 000011
【図１０】
2006227931.tif 000012